(57)【要約】【課題】ユーザの操作により録画したタイトルのうち、ユーザが隠蔽しておきたいタイトルに対して隠蔽処理を行うことができる情報記録再生装置を提供する。【解決手段】当該ユーザの操作により録画されたタイトルのタイトルリスト画面を見て、当該ユーザが隠蔽したいタイトルのタイトル名を、リモコンを操作して選択し、決定すると、隠蔽属性情報付与部は、前記選択決定されたタイトル名のタイトルに隠蔽属性情報を付与し、次に、タイトルリスト画面から前記隠蔽属性情報が付与されたタイトルのタイトル名を削除する。したがって、当該ユーザ以外の者は、隠蔽されているタイトルが存在していることも気付くことがなく、隠蔽されたタイトルを視聴することができない。【選択図】図６
2008123607.tif 000002
【特許請求の範囲】
【請求項１】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
ディスプレイ装置に表示されたタイトルリスト画面より隠蔽したいタイトルのタイトル名が選択され決定されたか否かを判定する隠蔽タイトル決定判定手段と、前記隠蔽したいタイトルのタイトル名が選択され決定されたと判定されたときに、前記選択決定されたタイトル名のタイトルに隠蔽属性情報を付与する隠蔽属性情報付与手段と、前記タイトルリスト画面から前記隠蔽属性情報が付与されたタイトルのタイトル名を削除する隠蔽タイトル名削除手段とを有する隠蔽属性情報付与部と、
ディスプレイ装置に表示された隠蔽解除情報設定画面を用いて前記隠蔽を解除するための連続したキー操作の手順を示す隠蔽解除情報が入力されたか否かを判定する隠蔽解除情報入力判定手段と、前記隠蔽解除情報が入力されと判定されたときに、前記隠蔽解除情報をフラッシュメモリに設定する隠蔽解除情報設定手段とを有する隠蔽解除情報設定部と、
ディスプレイ装置にタイトルリスト画面が表示された後、前記隠蔽を解除するための連続したキー操作がされたか否かを判定する連続キー操作判定手段と、前記連続したキー操作がされたと判定されたときに、前記連続したキー操作と前記隠蔽解除情報が示す連続したキー操作の手順とが一致したか否かを判定する連続キー操作手順判定手段と、両連続キー操作手順が一致したと判定されたときに、前記隠蔽されているタイトルを隠蔽解除する隠蔽解除手段と、前記タイトルリスト画面に前記隠蔽解除されたタイトル名を表示させる隠蔽解除タイトル名表示手段とを有する隠蔽解除部と、を備えたことを特徴とする情報記録再生装置。
【請求項２】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
ディスプレイ装置に表示されたタイトルリスト画面より隠蔽したいタイトルのタイトル名が選択され決定されると、前記選択決定されたタイトル名のタイトルに隠蔽属性情報を付与し、前記タイトルリスト画面から前記隠蔽属性情報が付与されたタイトルのタイトル名を削除する隠蔽属性情報付与部と、
連続したキー操作の手順を示す隠蔽解除情報が入力されたときに、前記隠蔽解除情報をフラッシュメモリに設定する隠蔽解除情報設定部と、
ディスプレイ装置にタイトルリスト画面が表示された後、前記隠蔽を解除するための連続したキー操作がされ、前記連続したキー操作と前記隠蔽解除情報が示す連続したキー操作の手順とが一致したときに、前記隠蔽されているタイトルを隠蔽解除し、前記タイトルリスト画面に前記隠蔽解除されたタイトル名を表示させる隠蔽解除部と、を備えたことを特徴とする情報記録再生装置。
【請求項３】
前記隠蔽解除情報設定部は、ディスプレイ装置に表示されたタイトルリスト画面より隠蔽したいタイトルのタイトル名が選択され決定されたか否かを判定する隠蔽タイトル決定判定手段と、前記隠蔽したいタイトルのタイトル名が選択され決定されたと判定されたときに、前記選択決定されたタイトル名のタイトルに隠蔽属性情報を付与する隠蔽属性情報付与手段と、前記タイトルリスト画面から前記隠蔽属性情報が付与されたタイトルのタイトル名を削除する隠蔽タイトル名削除手段とを有することを特徴とする請求項２に記載の情報記録再生装置。
【請求項４】
前記隠蔽解除情報設定部は、ディスプレイ装置に表示された隠蔽解除情報設定画面を用いて前記隠蔽を解除するための連続したキー操作の手順を示す隠蔽解除情報が入力されたか否かを判定する隠蔽解除情報入力判定手段と、前記隠蔽解除情報が入力されと判定されたときに、前記隠蔽解除情報をフラッシュメモリに設定する隠蔽解除情報設定手段とを有し、
前記隠蔽解除部は、ディスプレイ装置にタイトルリスト画面が表示された後、前記隠蔽を解除するための連続したキー操作がされたか否かを判定する連続キー操作判定手段と、前記連続したキー操作がされたと判定されたときに、前記連続したキー操作と前記隠蔽解除情報が示す連続したキー操作の手順とが一致したか否かを判定する連続キー操作手順判定手段と、両連続キー操作手順が一致したと判定されたときに、前記隠蔽されているタイトルを隠蔽解除する隠蔽解除手段と、前記タイトルリスト画面に前記隠蔽解除されたタイトル名を表示させる隠蔽解除タイトル名表示手段とを有することを特徴とする請求項２に記載の情報記録再生装置。
【発明の詳細な説明】
【技術分野】
【０００１】
本発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置に関し、特に、記録したタイトルを隠蔽することが可能な隠蔽機能を有する情報記録再生装置に関する。
【背景技術】
【０００２】
従来から、この種の情報記録再生装置として、ＤＶＤ（デジタルバーサタイルディスク）に対して情報の記録／再生を行う光ディスク装置（ＤＶＤレコーダ）や、ハードディスクに対して情報の記録／再生を行うハードディスク装置（ハードディスクレコーダ）、あるいは光ディスク装置とハードディスク装置とを搭載した複合型記録再生装置が知られている。
【０００３】
ところで、主となるユーザは、例えば、所望のテレビ番組を情報記録再生装置により録画を行うが、その録画されたテレビ番組の中には、家族の中でも他のユーザや子供に視聴させたくないテレビ番組がある。特に子供にとっては、暴力シーンやわいせつシーンなど、教育上好ましくないシーンが含まれているテレビ番組は、子供には視聴させたくないのが普通である。
【特許文献１】特開２００６−１６４５０９号公報
【発明の開示】
【発明が解決しようとする課題】
【０００４】
しかしながら、従来の情報記録再生装置では、ユーザが所望して録画したタイトル（テレビ番組やその他の情報）の中に、家族の中でも他のユーザや子供に視聴させたくないタイトルがあった場合、そのタイトルを隠蔽する機能を有していないので、そのタイトルが他のユーザや子供に視聴される場合があると言う課題があった。
【０００５】
なお、特許文献１の従来技術は、ユーザが直接アクセスできるタイトルと、直接アクセスできないタイトルとを区別しておき、製作者の意図に合うコンテンツを製作でき、それによる多様な応用をユーザに提供できるようにしているが、ユーザの操作により録画したタイトルのうち、ユーザが隠蔽しておきたいタイトルに対しては隠蔽処理を行うことができないので、前記の課題を解決することはできない。
【０００６】
本発明は、上記のような課題を解決するためになされたもので、ユーザの操作により録画したタイトルのうち、ユーザが隠蔽しておきたいタイトルに対して隠蔽処理を行うことができる情報記録再生装置を提供することを目的とする。
【課題を解決するための手段】
【０００７】
上記目的を達成するために、請求項１の発明は、ディスプレイ装置に表示されたタイトルリスト画面より隠蔽したいタイトルのタイトル名が選択され決定されたか否かを判定する隠蔽タイトル決定判定手段と、前記隠蔽したいタイトルのタイトル名が選択され決定されたと判定されたときに、前記選択決定されたタイトル名のタイトルに隠蔽属性情報を付与する隠蔽属性情報付与手段と、前記タイトルリスト画面から前記隠蔽属性情報が付与されたタイトルのタイトル名を削除する隠蔽タイトル名削除手段とを有する隠蔽属性情報付与部と、ディスプレイ装置に表示された隠蔽解除情報設定画面を用いて前記隠蔽を解除するための連続したキー操作の手順を示す隠蔽解除情報が入力されたか否かを判定する隠蔽解除情報入力判定手段と、前記隠蔽解除情報が入力されと判定されたときに、前記隠蔽解除情報をフラッシュメモリに設定する隠蔽解除情報設定手段とを有する隠蔽解除情報設定部と、ディスプレイ装置にタイトルリスト画面が表示された後、前記隠蔽を解除するための連続したキー操作がされたか否かを判定する連続キー操作判定手段と、前記連続したキー操作がされたと判定されたときに、前記連続したキー操作と前記隠蔽解除情報が示す連続したキー操作の手順とが一致したか否かを判定する連続キー操作手順判定手段と、両連続キー操作手順が一致したと判定されたときに、前記隠蔽されているタイトルを隠蔽解除する隠蔽解除手段と、前記タイトルリスト画面に前記隠蔽解除されたタイトル名を表示させる隠蔽解除タイトル名表示手段とを有する隠蔽解除部と、を備えたことを特徴とする情報記録再生装置を提供する。
【０００８】
この構成において、ユーザは、ディスプレイ装置に表示されたタイトルリスト画面を見て、隠蔽したいタイトルのタイトル名を、リモコンを操作して選択し、決定すると、隠蔽属性情報付与部の隠蔽タイトル決定判定手段は、ユーザが隠蔽したいタイトルのタイトル名が選択決定されたことを検知し、隠蔽属性情報付与部の隠蔽属性情報付与手段は、前記選択決定されたタイトル名のタイトルに隠蔽属性情報を付与する。次に、隠蔽属性情報付与部の隠蔽タイトル名削除手段は、タイトルリスト画面から前記隠蔽属性情報が付与されたタイトルのタイトル名を削除する。
【０００９】
以上の処理によって、当該ユーザが隠蔽したいタイトルに隠蔽属性情報を付与して、タイトルリスト画面から、そのタイトルのタイトル名を削除することができるので、当該ユーザが、隠蔽解除を行うためのキー操作を行わない限り、隠蔽されたタイトルを視聴することができなくなり、また、当該ユーザ以外の者は、隠蔽されているタイトルが存在していることも気付くことがない。
【００１０】
ユーザが隠蔽したタイトルを視聴することができるように、隠蔽解除情報の設定を行うため、隠蔽解除情報設定画面をディスプレイ装置に表示させる。この後、ユーザは、隠蔽解除情報設定画面を用いて、前記隠蔽を解除するための連続したキー操作の手順を示す隠蔽解除情報を入力すると、隠蔽解除情報設定部の隠蔽解除情報入力判定手段は、隠蔽解除情報が入力されたと判定し、このキー操作手順により入力されたキー入力信号によるキー情報が隠蔽解除情報になり、隠蔽解除情報設定部の隠蔽解除情報設定手段は、その隠蔽解除情報が当該ユーザの隠蔽解除情報としてフラッシュメモリに設定する。
【００１１】
以上の処理によって、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。
【００１２】
タイトルリスト画面をディスプレイ装置に表示させ、ユーザは、自分が覚えている隠蔽解除情報のキー操作を連続して行うと、隠蔽解除部の連続キー操作判定手段は、前記隠蔽を解除するための連続したキー操作がされたと判定し、隠蔽解除部の連続キー操作手順判定手段は、前記連続したキー操作とフラッシュメモリに設定されている隠蔽解除情報が示す連続したキー操作の手順とが一致したか否かを判定する。そして、両連続キー操作手順が一致したと判定されたときに、隠蔽解除部の隠蔽解除手段は、隠蔽されているタイトルを隠蔽解除し、隠蔽解除部の隠蔽解除タイトル名表示手段は、タイトルリスト画面に前記隠蔽解除されたタイトル名を表示させることになる。
【００１３】
以上の処理によって、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【００１４】
この構成によれば、当該ユーザが隠蔽したいタイトルに隠蔽属性情報を付与して、タイトルリスト画面から、そのタイトルのタイトル名を削除することができるので、当該ユーザが、隠蔽解除を行うためのキー操作を行わない限り、隠蔽されたタイトルを視聴することができなくなり、また、当該ユーザ以外の者は、隠蔽されているタイトルが存在していることも気付くことがない。また、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。また、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【００１５】
請求項２の発明は、ディスプレイ装置に表示されたタイトルリスト画面より隠蔽したいタイトルのタイトル名が選択され決定されると、前記選択決定されたタイトル名のタイトルに隠蔽属性情報を付与し、前記タイトルリスト画面から前記隠蔽属性情報が付与されたタイトルのタイトル名を削除する隠蔽属性情報付与部と、連続したキー操作の手順を示す隠蔽解除情報が入力されたときに、前記隠蔽解除情報をフラッシュメモリに設定する隠蔽解除情報設定部と、ディスプレイ装置にタイトルリスト画面が表示された後、前記隠蔽を解除するための連続したキー操作がされ、前記連続したキー操作と前記隠蔽解除情報が示す連続したキー操作の手順とが一致したときに、前記隠蔽されているタイトルを隠蔽解除し、前記タイトルリスト画面に前記隠蔽解除されたタイトル名を表示させる隠蔽解除部と、を備えたことを特徴とする情報記録再生装置を提供する。
【００１６】
この構成において、ユーザは、ディスプレイ装置に表示されたタイトルリスト画面を見て、隠蔽したいタイトルのタイトル名を、リモコンを操作して選択し、決定すると、隠蔽属性情報付与部は、前記選択決定されたタイトル名のタイトルに隠蔽属性情報を付与し、次に、タイトルリスト画面から前記隠蔽属性情報が付与されたタイトルのタイトル名を削除する。
【００１７】
以上の処理によって、ユーザが隠蔽したいタイトルに隠蔽属性情報を付与して、タイトルリスト画面から、そのタイトルのタイトル名を削除することができるので、このユーザが、隠蔽解除を行うためのキー操作を行わない限り、隠蔽されたタイトルを視聴することができなくなり、また、当該ユーザ以外の者は、隠蔽されているタイトルが存在していることも気付くことがない。
【００１８】
ユーザが隠蔽したタイトルを視聴することができるように、隠蔽解除情報の設定を行うため、隠蔽解除情報設定画面をディスプレイ装置に表示させる。この後、ユーザは、隠蔽解除情報設定画面を用いて、前記隠蔽を解除するための連続したキー操作の手順を示す隠蔽解除情報を入力すると、隠蔽解除情報設定部は、その隠蔽解除情報が当該ユーザの隠蔽解除情報としてフラッシュメモリに設定する。
【００１９】
以上の処理によって、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。
【００２０】
タイトルリスト画面をディスプレイ装置に表示させ、ユーザは、自分が覚えている隠蔽解除情報のキー操作を連続して行うと、隠蔽解除部は、前記連続したキー操作とフラッシュメモリに設定されている隠蔽解除情報が示す連続したキー操作の手順とが一致したか否かを判定し、両連続キー操作手順が一致したと判定したときに、タイトルリスト画面に前記隠蔽解除されたタイトル名を表示させる。
【００２１】
以上の処理によって、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【００２２】
この構成によれば、当該ユーザが隠蔽したいタイトルに隠蔽属性情報を付与して、タイトルリスト画面から、そのタイトルのタイトル名を削除することができるので、当該ユーザが、隠蔽解除を行うためのキー操作を行わない限り、隠蔽されたタイトルを視聴することができなくなり、また、当該ユーザ以外の者は、隠蔽されているタイトルが存在していることも気付くことがない。また、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。また、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【００２３】
請求項３の発明では、請求項２の発明において、前記隠蔽解除情報設定部は、ディスプレイ装置に表示されたタイトルリスト画面より隠蔽したいタイトルのタイトル名が選択され決定されたか否かを判定する隠蔽タイトル決定判定手段と、前記隠蔽したいタイトルのタイトル名が選択され決定されたと判定されたときに、前記選択決定されたタイトル名のタイトルに隠蔽属性情報を付与する隠蔽属性情報付与手段と、前記タイトルリスト画面から前記隠蔽属性情報が付与されたタイトルのタイトル名を削除する隠蔽タイトル名削除手段とを有することを特徴とする。
【００２４】
したがって、前記隠蔽解除情報設定部は、隠蔽タイトル決定判定処理、隠蔽属性情報付与処理、および隠蔽タイトル名削除処理を実現でき、これにより、当該ユーザが隠蔽したいタイトルに隠蔽属性情報を付与して、タイトルリスト画面から、そのタイトルのタイトル名を削除することが可能になる。
【００２５】
請求項４の発明では、請求項２の発明において、前記隠蔽解除情報設定部は、ディスプレイ装置に表示された隠蔽解除情報設定画面を用いて前記隠蔽を解除するための連続したキー操作の手順を示す隠蔽解除情報が入力されたか否かを判定する隠蔽解除情報入力判定手段と、前記隠蔽解除情報が入力されと判定されたときに、前記隠蔽解除情報をフラッシュメモリに設定する隠蔽解除情報設定手段とを有し、前記隠蔽解除部は、ディスプレイ装置にタイトルリスト画面が表示された後、前記隠蔽を解除するための連続したキー操作がされたか否かを判定する連続キー操作判定手段と、前記連続したキー操作がされたと判定されたときに、前記連続したキー操作と前記隠蔽解除情報が示す連続したキー操作の手順とが一致したか否かを判定する連続キー操作手順判定手段と、両連続キー操作手順が一致したと判定されたときに、前記隠蔽されているタイトルを隠蔽解除する隠蔽解除手段と、前記タイトルリスト画面に前記隠蔽解除されたタイトル名を表示させる隠蔽解除タイトル名表示手段とを有することを特徴とする。
【００２６】
したがって、前記隠蔽解除情報設定部は、隠蔽解除情報入力判定処理と隠蔽解除情報設定処理を実現でき、これにより、当該ユーザが隠蔽したいタイトルを解除するための独自の隠蔽解除情報を登録することが可能になる。また、前記隠蔽解除部は、連続キー操作判定処理、連続キー操作手順判定処理、隠蔽解除処理、および隠蔽解除タイトル名表示処理を実現でき、これにより、当該ユーザが隠蔽したタイトルであっても、当該ユーザの独自の連続キー操作による隠蔽解除情報を入力することによって、再び隠蔽タイトルを視聴することが可能になる。
【発明の効果】
【００２７】
以上のように本発明によれば、当該ユーザが隠蔽したいタイトルに隠蔽属性情報を付与して、タイトルリスト画面から、そのタイトルのタイトル名を削除することができるので、当該ユーザが、隠蔽解除を行うためのキー操作を行わない限り、隠蔽されたタイトルを視聴することができなくなる。したがって、当該ユーザ以外の者は、隠蔽されているタイトルの存在を認識することができなくなり、もちろん隠蔽されているタイトルを視聴することができなくなる。例えば、当該ユーザが親であった場合、親が子供に視聴させたくないタイトルは隠蔽できるので、子供が勝手に操作して、視聴してはならないタイトルを視聴するようなことがなくなる。
【００２８】
また、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。また、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【発明を実施するための最良の形態】
【００２９】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする隠蔽に関する処理機能は、複合型記録再生装置に限らず、単体のハードディスク装置や光ディスク装置に設ければ、同様な効果を得ることができる。
【００３０】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００３１】
また、この複合型記録再生装置１は、デコーダ５で復号された映像信号をモニタ装置（テレビ受信機など）１３のディスプレイ装置１３１で表示可能な映像信号に変換する映像出力部７と、タイトルリスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００３２】
システムコントローラ１０は、本実施形態の特徴として、ディスプレイ装置１３１に表示されたタイトルリスト画面より隠蔽したいタイトルのタイトル名が選択され決定されたか否かを判定する隠蔽タイトル決定判定手段と、前記隠蔽したいタイトルのタイトル名が選択され決定されたと判定されたときに、前記選択決定されたタイトル名のタイトルに隠蔽属性情報を付与する隠蔽属性情報付与手段と、前記タイトルリスト画面から前記隠蔽属性情報が付与されたタイトルのタイトル名を削除する隠蔽タイトル名削除手段とを有する隠蔽属性情報付与部１０１と、ディスプレイ装置１３１に表示された隠蔽解除情報設定画面を用いて前記隠蔽を解除するための連続したキー操作の手順を示す隠蔽解除情報が入力されたか否かを判定する隠蔽解除情報入力判定手段と、前記隠蔽解除情報が入力されと判定されたときに、前記隠蔽解除情報をフラッシュメモリ６に設定する隠蔽解除情報設定手段とを有する隠蔽解除情報設定部１０２と、ディスプレイ装置１３１にタイトルリスト画面が表示された後、前記隠蔽を解除するための連続したキー操作がされたか否かを判定する連続キー操作判定手段と、前記連続したキー操作がされたと判定されたときに、前記連続したキー操作と前記隠蔽解除情報が示す連続したキー操作の手順とが一致したか否かを判定する連続キー操作手順判定手段と、両連続キー操作手順が一致したと判定されたときに、前記隠蔽されているタイトルを隠蔽解除する隠蔽解除手段と、前記タイトルリスト画面に前記隠蔽解除されたタイトル名を表示させる隠蔽解除タイトル名表示手段とを有する隠蔽解除部１０３とを備えている。
【００３３】
図２は本実施形態においてリモコンのキー配置の一例を示す図である。図２において、リモコン１１の操作パネル１１０には、電源キー１１１、トレイ開閉キー１１２、音量調整キー１１３、複数の数字キー１１４、ＤＶＤモード切換キー１１５、ＨＤＤモード切換キー１１６、上方向きー１１７、下方向キー１１８、左方向キー１１９、右方向キー１２０、決定キー１２１、早戻しキー１２２、停止キー１２３、再生キー１２４、早送りキー１２５、メニューキー１２６、記録キー１２７、再生リストキー１２８などが配置されている。なお、ここでのキーの配置は一例であるので、これに限ることはない。
【００３４】
図３は本実施形態においてタイトル情報を構成する単位情報であるタイトル♯ｉのデータ構造図である。図３において、タイトル♯ｉは、隠蔽属性情報としてのアクセスタイプの情報と、エントリーポイントの情報とを持っている。アクセスタイプの情報は、ユーザが直接にタイトル♯ｉの再生を制御できるかどうかを報知する情報であり、論理「０」であれば、タイトル♯ｉを検索することが可能であり、論理「１」であれば、タイトル♯ｉを検索することが不可能であることを示す。
【００３５】
図４は本実施形態においてタイトルリスト画面の一例を示す表示画面図である。このタイトルリスト画面には、録画されたタイトルのタイトル名と、録画日と、タイトル番号（Ｎｏ，）とが表示されている。また、タイトル名の中で、カーソル４２で指示されたタイトル名のサムネイル画像４１が表示されている。
【００３６】
図５は本実施形態において隠蔽解除情報設定画面の一例を示す表示画面図である。この隠蔽解除情報設定画面では「上方向キー、下方向キー、左方向キー、右方向キーのうちのキーを連続して数回押して隠蔽解除情報を入力して下さい。」と、「キー操作手順；上  上  下  右  左」と、「このキー操作手順で隠蔽解除情報を登録しました。」というメッセージが表示されている。前記「キー操作手順；上  上  下  右  左」のうち、上  上  下  右  左は、ユーザが、リモコン１１（図２参照）の上方向キー１１７、上方向キー１１７、下方向キー１１８、右方向キー１２０、左方向キー１１９という順にキーを押して入力されたキー操作手順を示す。したがって、このキー操作手順により入力されたキー入力信号によるキー情報が隠蔽解除情報になり、この隠蔽解除情報が当該ユーザの隠蔽解除情報としてフラッシュメモリ６に設定されることになる。
【００３７】
なお、キー操作手順は、上方向キー１１７、上方向キー１１７、下方向キー１１８、右方向キー１２０、左方向キー１１９という順序やキー操作回数に限ることはない。また、隠蔽解除情報の設定に用いるキーの種類は、その時の動作環境で本来の操作を受け付けないキーであれば、何れのキーであっても良い。ただし、少なくとも、電源キー１１１、トレイ開閉キー１１２、音量調整キー１１３、決定キー１２１などの操作は、隠蔽解除情報の設定に用いるのは不適である。
【００３８】
図６は本実施形態において隠蔽属性情報の付与に関する処理を説明するためのフローチャートである。このフローチャートおよび図１〜図５を参照して隠蔽属性情報の付与に関する処理について説明する。なお、ここの説明では、複数のテレビ番組がハードディスク装置３のＨＤ１４に記録されているものとする。
【００３９】
先ず、ユーザがリモコン１１の再生リストキーを押下すると、システムコントローラ１０は、再生リストキー１２８の押下を検知し（ステップＳ１）、ハードディスク装置３を駆動させ、ＨＤ１４からディスク管理情報を読み出し、このディスク管理情報に基づいて作成したタイトルリスト画面データをＯＳＤ回路１２でＯＳＤ処理し、更に映像出力部７で表示可能な映像信号に変換し、これにより、タイトルリスト画面（図４参照）をモニタ装置１３のディスプレイ装置１３１に表示させる（ステップＳ２）。
【００４０】
そして、ユーザは、ディスプレイ装置１３１に表示されたタイトルリスト画面を見て、隠蔽したいタイトルのタイトル名を、リモコン１１を操作して選択し、決定すると、システムコントローラ１０における隠蔽属性情報付与部１０１の隠蔽タイトル決定判定手段は、ユーザが隠蔽したいタイトルのタイトル名が選択決定されたと判定する（ステップＳ３）。
【００４１】
前記隠蔽したいタイトルのタイトル名が選択され決定されたと判定されたときに、隠蔽属性情報付与部１０１の隠蔽属性情報付与手段は、前記選択決定されたタイトル名のタイトルに隠蔽属性情報を付与する（ステップＳ４）。即ち、図３でも説明したように、隠蔽属性情報付与部１０１の隠蔽属性情報付与手段は、ユーザが隠蔽したいタイトルのアクセスタイプの情報を論理「１」に設定し、そのタイトルを通常のリモコン操作では検索できないようにする。
【００４２】
次に、隠蔽属性情報付与部１０１の隠蔽タイトル名削除手段は、タイトルリスト画面（図４参照）から前記隠蔽属性情報が付与されたタイトルのタイトル名を削除する（ステップＳ５）。即ち、隠蔽タイトル名削除手段は、ディスプレイ装置１３１に表示されたタイトルリスト画面上で隠蔽属性情報が付与されたタイトルのタイトル名を選択してクリアする処理を行うことによって、そのタイトル名を削除する。また、隠蔽タイトル名削除手段は、タイトル名を削除すると、これに伴ってタイトル番号および録画日も削除し、当該タイトル番号を削除すると、当該ユーザ以外の者に、隠蔽タイトルの存在が分からないように、それ以降のタイトル番号を繰り上げる処理を行う。
【００４３】
以上の処理によって、ユーザが隠蔽したいタイトルに隠蔽属性情報を付与して、タイトルリスト画面から、そのタイトルのタイトル名を削除することができるので、このユーザが、隠蔽解除を行うためのキー操作を行わない限り、隠蔽されたタイトルを視聴することができなくなり、当該ユーザ以外の者は、隠蔽されているタイトルが存在していることも気付くことがない。
【００４４】
図７は本実施形態において隠蔽解除情報の設定に関する処理を説明するためのフローチャートである。このフローチャートおよび図１〜図５を参照して隠蔽解除情報の設定に関する処理について説明する。
【００４５】
ユーザが隠蔽したタイトルを視聴することができるように、隠蔽解除情報の設定を行うため、先ず、ユーザは、リモコン１１のメニューキー１２６を押下すると、システムコントローラ１０は、メニューキー１２６が押下されたことを検知し（ステップＳ６）、設定メニュー画面データをフラッシュメモリ６から読み出し、ＯＳＤ回路１２でＯＳＤ処理し、更に映像出力部７で表示可能な映像信号に変換し、これにより、設定メニュー画面（図示せず）をモニタ装置１３のディスプレイ装置１３１に表示させる（ステップＳ７）。
【００４６】
そして、ユーザが、リモコン１１を操作して、前記設定メニュー画面上で隠蔽解除情報設定画面の項目を選択して決定すると、システムコントローラ１０は、隠蔽解除情報設定画面の項目が選択されて決定されたこと検知し（ステップＳ８）、隠蔽解除情報設定画面データをフラッシュメモリ６から読み出し、ＯＳＤ回路１２でＯＳＤ処理し、更に映像出力部７で表示可能な映像信号に変換し、これにより、隠蔽解除情報設定画面（図５参照）をモニタ装置１３のディスプレイ装置１３１に表示させる（ステップＳ９）。
【００４７】
この後、ユーザは、ディスプレイ装置１３１に表示された隠蔽解除情報設定画面（図５参照）を用いて、前記隠蔽を解除するための連続したキー操作の手順を示す隠蔽解除情報を入力する。例えば、図５においても説明したように、ユーザが、リモコン１１（図２参照）の上方向キー１１７、上方向キー１１７、下方向キー１１８、右方向キー１２０、左方向キー１１９という順にキーを押して入力する。これにより、システムコントローラ１０における隠蔽解除情報設定部１０２は、ディスプレイ装置１３１に表示された隠蔽解除情報設定画面（図５参照）を用いて、前記隠蔽を解除するための連続したキー操作の手順を示す隠蔽解除情報が入力されたと判定し（ステップＳ１０）、このキー操作手順により入力されたキー入力信号によるキー情報が隠蔽解除情報になり、隠蔽解除情報設定部１０２の隠蔽解除情報設定手段は、その隠蔽解除情報が当該ユーザの隠蔽解除情報としてフラッシュメモリ６に設定する（ステップＳ１１）。
【００４８】
以上の処理によって、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。
【００４９】
図８は本実施形態において隠蔽の解除に関する処理を説明するためのフローチャートである。このフローチャートおよび図１〜図５を参照して隠蔽の解除に関する処理について説明する。
【００５０】
先ず、ユーザがリモコン１１の再生リストキー１２８を押下すると、システムコントローラ１０は、再生リストキー１２８の押下を検知し（ステップＳ１２）、ハードディスク装置３を駆動させ、ＨＤ１４からディスク管理情報を読み出し、このディスク管理情報に基づいて作成したタイトルリスト画面データをＯＳＤ回路１２でＯＳＤ処理し、更に映像出力部７で表示可能な映像信号に変換し、これにより、タイトルリスト画面（図４参照）をモニタ装置１３のディスプレイ装置１３１に表示させる（ステップＳ１３）。
【００５１】
ここで、ユーザは、自分が覚えている隠蔽解除情報のリモコン１１のキー操作を連続して行う。この例では、図５でも説明したように、リモコン１１の上方向キー１１７、上方向キー１１７、下方向キー１１８、右方向キー１２０、左方向キー１１９という順にキーを押して入力する。なお、タイトルリスト画面（図４参照）において、タイトル名を指示するカーソルが、上方向キー１１７や下方向キー１１８により、上下に移動するが、リモコン１１の決定キー１２１を押下していないので、何ら問題はない。
【００５２】
前記連続キー操作によるキー入力があると、システムコントローラ１０における隠蔽解除部１０３の連続キー操作判定手段は、前記隠蔽を解除するための連続したキー操作がされたと判定し（ステップＳ１４）、隠蔽解除部１０３の連続キー操作手順判定手段は、前記連続したキー操作とフラッシュメモリ６に設定されている隠蔽解除情報が示す連続したキー操作の手順とが一致したか否かを判定する（ステップＳ１５）。そして、両連続キー操作手順が一致したと判定されたときに、隠蔽解除部１０３の隠蔽解除手段は、アクセスタイプの情報（図３参照）を論理「０」に設定することにより、前記隠蔽されているタイトルを隠蔽解除し（ステップＳ１６）、隠蔽解除部１０３の隠蔽解除タイトル名表示手段は、前記隠蔽されていたタイトルが検索可能になるので、ディスク管理情報によりタイトル名が分かり、タイトルリスト画面に前記隠蔽解除されたタイトル名を表示させることになる（ステップＳ１７）。
【００５３】
以上の処理によって、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【００５４】
以上説明したように本実施形態によれば、当該ユーザが隠蔽したいタイトルに隠蔽属性情報を付与して、タイトルリスト画面から、そのタイトルのタイトル名を削除することができるので、当該ユーザが、隠蔽解除を行うためのキー操作を行わない限り、隠蔽されたタイトルを視聴することができなくなる。したがって、当該ユーザ以外の者は、隠蔽されているタイトルの存在を認識することができなくなり、もちろん隠蔽されているタイトルを視聴することができなくなる。
【００５５】
また、当該ユーザが隠蔽したいタイトルを解除するための独自の隠蔽解除情報を登録することができ、これにより、当該ユーザのみが隠蔽タイトルを解除することができ、当該ユーザ以外の者には、隠蔽タイトルを解除することができないので、当該ユーザ以外の者は、当該ユーザが隠蔽したタイトルを視聴することができない。また、当該ユーザが隠蔽したタイトルであっても、当該ユーザの独自の連続キー操作による隠蔽解除情報を入力することによって、再び隠蔽タイトルを視聴することが可能になり、ユーザにとっては使い勝手が良いものとなる。
【産業上の利用可能性】
【００５６】
本発明は、ハードディスクレコーダ、ＤＶＤレコーダ、ハードディスクレコーダとＤＶＤレコーダとの複合機などの情報記録再生装置に利用可能であり、ユーザが隠蔽を所望するタイトルを，ユーザ操作により隠蔽することができるようになる。
【図面の簡単な説明】
【００５７】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態においてタイトル情報を構成する単位情報であるタイトル♯ｉのデータ構造図である。
【図４】前記実施形態においてタイトルリスト画面の一例を示す表示画面図である。
【図５】前記実施形態において隠蔽解除情報設定画面の一例を示す表示画面図である。
【図６】前記実施形態において隠蔽属性情報の付与に関する処理を説明するためのフローチャートである。
【図７】前記実施形態において隠蔽解除情報の設定に関する処理を説明するためのフローチャートである。
【図８】前記実施形態において隠蔽の解除に関する処理を説明するためのフローチャートである。
【符号の説明】
【００５８】
１    複合型記録再生装置（情報記録再生装置）
４    チューナ
６    フラッシュメモリ
１４    ＨＤ（記録媒体）
１５    ＤＶＤ（記録媒体）
１０１    隠蔽属性情報付与部
１０２    隠蔽解除情報設定部
１０３    隠蔽解除部
１３１    ディスプレイ装置
【図１】
2008123607.tif 000003
【図２】
2008123607.tif 000004
【図３】
2008123607.tif 000005
【図４】
2008123607.tif 000006
【図５】
2008123607.tif 000007
【図６】
2008123607.tif 000008
【図７】
2008123607.tif 000009
【図８】
2008123607.tif 000010